(57)【要約】ボイラ１１からの排ガス１２中の硫黄酸化物を除去する脱硫装置１５と、脱硫装置１５の後流側に設けられ、排ガス中に残存する硫黄酸化物を除去すると共に、ガス温度を下げる冷却塔１６と、前記排ガス中のＣＯ２をＣＯ２吸収液に接触させて除去する吸収塔と、ＣＯ２吸収液からＣＯ２を放出してＣＯ２を回収すると共に、ＣＯ２吸収液を再生する再生塔とからなるＣＯ２回収装置１７と、ＣＯ２回収装置に排ガスを導入する以前において、ＣＯ２回収装置の吸収塔内で発生するミストの発生源であるミスト発生物質を除去する溶解塩噴霧２３とを具備する。
2011152549.tif 000002
【特許請求の範囲】
【請求項１】
ボイラからの排ガス中の煤塵を除去する電気集塵機と、
除塵後の排ガス中の硫黄酸化物を除去する脱硫装置と、
脱硫装置の後流側に設けられ、排ガス中に残存する硫黄酸化物を除去すると共に、ガス温度を下げる冷却塔と、
前記排ガス中のＣＯ２をＣＯ２吸収液に接触させて除去する吸収塔と、ＣＯ２吸収液からＣＯ２を放出してＣＯ２を回収すると共に、ＣＯ２吸収液を再生する再生塔とからなるＣＯ２回収装置と、
前記ＣＯ２回収装置に排ガスを導入する以前において、ＣＯ２回収装置の吸収塔内で発生するミストの発生源であるミスト発生物質を除去する溶解塩噴霧装置と
を具備することを特徴とする排ガス処理システム。
【請求項２】
請求項１において、
排ガス中の窒素酸化物を除去する脱硝装置を有することを特徴とする排ガス処理システム。
【請求項３】
ボイラからの排ガス中の硫黄酸化物を除去する脱硫装置と、
脱硫装置の後流側に設けられ、排ガス中に残存する硫黄酸化物を除去すると共に、ガス温度を下げる冷却塔と、
前記排ガス中のＣＯ２をＣＯ２吸収液に接触させて除去する吸収塔と、ＣＯ２吸収液からＣＯ２を放出してＣＯ２を回収すると共に、ＣＯ２吸収液を再生する再生塔とからなるＣＯ２回収装置と、
前記ＣＯ２回収装置に排ガスを導入する以前において、ＣＯ２回収装置の吸収塔内で発生するミストの発生源であるミスト発生物質を除去する溶解塩噴霧装置と
を具備することを特徴とする排ガス処理システム。
【請求項４】
請求項３において、
排ガス中の窒素酸化物を除去する脱硝装置と、煤塵を除去する乾式の電気集塵機とを有することを特徴とする排ガス処理システム。
【請求項５】
排ガス中のＣＯ２をＣＯ２吸収液に接触させて吸収・除去するＣＯ２回収装置の前流側において、
排ガス中の煤塵を除去した後流側で、硫黄酸化物を除去する脱硫装置の前流側において、排ガス中に溶解塩を噴霧して、ミスト発生物質を溶解塩に吸着・固定させて除去し、
前記ＣＯ２回収装置に導入する排ガス中のミスト発生物質の量を所定量以下に低減することを特徴とする排ガス処理方法。
【発明の詳細な説明】
【技術分野】
【０００１】
本発明は、排ガス中のＣＯ２を除去する排ガス処理システム及び方法に関する。
【背景技術】
【０００２】
近年、地球の温暖化現象の原因の一つとして、ＣＯ２による温室効果が指摘され、地球環境を守る上で国際的にもその対策が急務となってきた。ＣＯ２の発生源としては化石燃料を燃焼させるあらゆる人間の活動分野に及び、その排出抑制への要求が一層強まる傾向にある。これに伴い大量の化石燃料を使用する火力発電所などの動力発生設備を対象に、ボイラやガスタービン等、産業設備の燃焼排ガスをアミン系ＣＯ２吸収液と接触させ、燃焼排ガス中のＣＯ２を除去・回収する方法および回収されたＣＯ２を大気へ放出することなく貯蔵する排ガス処理システムが精力的に研究されている。【０００３】
前記のようなＣＯ２吸収液を用い、燃焼排ガスからＣＯ２を除去・回収する工程としては、ＣＯ２吸収塔（以下、単に「吸収塔」ともいう。）において燃焼排ガスとＣＯ２吸収液とを接触させる工程と、ＣＯ２を吸収したＣＯ２吸収液を吸収液再生塔（以下、単に「再生塔」ともいう。）において加熱し、ＣＯ２を放散させるとともにＣＯ２吸収液を再生して再びＣＯ２吸収塔に循環して再利用する工程とを有するＣＯ２回収装置が提案されている（例えば、特許文献１を参照）。【０００４】
ＣＯ２吸収塔では、例えばアルカノールアミン等のアミン系ＣＯ２吸収液を用いて、交向流接触し、排ガス中のＣＯ２は、化学反応（発熱反応）によりＣＯ２吸収液に吸収され、ＣＯ２が除去された排ガスは系外に放出される。ＣＯ２を吸収したＣＯ２吸収液はリッチ溶液とも呼称される。このリッチ溶液はポンプにより昇圧され、再生塔でＣＯ２が放散し再生した高温のＣＯ２吸収液（リーン溶液）により、熱交換器において加熱され、再生塔に供給される。
【先行技術文献】
【特許文献】
【０００５】
【特許文献１】特開平３−１９３１１６号公報
【発明の概要】
【発明が解決しようとする課題】
【０００６】
しかしながら、排ガス処理システムにおいて、ＣＯ２回収装置のＣＯ２を吸収するＣＯ２吸収塔に導入される排ガス中に、ＣＯ２回収装置の吸収塔内で発生するミストの発生源であるミスト発生物質が含まれる場合、ＣＯ２吸収液がこのミスト発生物質に同伴してされるため、系外へ飛散するＣＯ２吸収液の量が増大する、という問題がある。
このようなＣＯ２吸収液の系外への飛散がある場合には、再生塔で再利用するＣＯ２吸収液の大幅なロスにつながると共に、ＣＯ２吸収液を必要以上に補充することとなるので、系外へＣＯ２吸収液が飛散することを抑制する必要がある。【０００７】
そこで、ＣＯ２吸収塔からのＣＯ２吸収液の飛散を抑制した排ガス処理システムの確立が切望されている。【０００８】
本発明は、前記問題に鑑み、系外にＣＯ２を除去した排ガスを排出する際に、ＣＯ２吸収液の同伴を大幅に低減すると共に、適正な排ガス処理を行うことができる排ガス処理システム及び方法を提供することを課題とする。
【課題を解決するための手段】
【０００９】
上述した課題を解決するための本発明の第１の発明は、ボイラからの排ガス中の煤塵を除去する電気集塵機と、除塵後の排ガス中の硫黄酸化物を除去する脱硫装置と、脱硫装置の後流側に設けられ、排ガス中に残存する硫黄酸化物を除去すると共に、ガス温度を下げる冷却塔と、前記排ガス中のＣＯ２をＣＯ２吸収液に接触させて除去する吸収塔と、ＣＯ２吸収液からＣＯ２を放出してＣＯ２を回収すると共に、ＣＯ２吸収液を再生する再生塔とからなるＣＯ２回収装置と、前記ＣＯ２回収装置に排ガスを導入する以前において、ＣＯ２回収装置の吸収塔内で発生するミストの発生源であるミスト発生物質を除去する溶解塩噴霧装置とを具備することを特徴とする排ガス処理システムにある。【００１０】
第２の発明は、第１の発明において、排ガス中の窒素酸化物を除去する脱硝装置を有することを特徴とする排ガス処理システムにある。【００１１】
第３の発明は、ボイラからの排ガス中の硫黄酸化物を除去する脱硫装置と、脱硫装置の後流側に設けられ、排ガス中に残存する硫黄酸化物を除去すると共に、ガス温度を下げる冷却塔と、前記排ガス中のＣＯ２をＣＯ２吸収液に接触させて除去する吸収塔と、ＣＯ２吸収液からＣＯ２を放出してＣＯ２を回収すると共に、ＣＯ２吸収液を再生する再生塔とからなるＣＯ２回収装置と、前記ＣＯ２回収装置に排ガスを導入する以前において、ＣＯ２回収装置の吸収塔内で発生するミストの発生源であるミスト発生物質を除去する溶解塩噴霧装置とを具備することを特徴とする排ガス処理システムにある。【００１２】
第４の発明は、第３の発明において、排ガス中の窒素酸化物を除去する脱硝装置と、煤塵を除去する乾式の電気集塵機とを有することを特徴とする排ガス処理システムにある。【００１３】
第５の発明は、排ガス中のＣＯ２をＣＯ２吸収液に接触させて吸収・除去するＣＯ２回収装置の前流側において、排ガス中の煤塵を除去した後流側で、硫黄酸化物を除去する脱硫装置の前流側において、排ガス中に溶解塩を噴霧して、ミスト発生物質を溶解塩に吸着・固定させて除去し、前記ＣＯ２回収装置に導入する排ガス中のミスト発生物質の量を所定量以下に低減することを特徴とする排ガス処理方法にある。
【発明の効果】
【００１４】
本発明の排ガス処理システムによれば、ＣＯ２回収装置に導入する以前において、ミスト発生物質除去装置として溶解塩噴霧装置を設けたので、ＣＯ２吸収塔に導入される際の排ガス中のミスト発生物質の量が大幅に低減する。この結果、ミストに同伴されて系外へ飛散するＣＯ２吸収液の量が低減する。よって、系外へ飛散するＣＯ２吸収液のロスを大幅に低減することができると共に、排ガス処理におけるランニングコストの増大を抑制することができる。
【図面の簡単な説明】
【００１５】
【図１】図１は、本発明に係る実施形態の排ガス処理システムの概要図である。
【図２】図２は、ミスト発生のメカニズムの概念図である。
【図３−１】図３−１は、ＣＯ２吸収塔内での白煙軽減状態を示す写真である。
【図３−２】図３−２は、ＣＯ２吸収塔内での白煙発生状態を示す写真である。
【図４】図４は、実施例１に係る排ガス処理システムの概略図である。
【図５】図５は、実施例１に係る他の排ガス処理システムの概略図である。
【発明を実施するための形態】
【００１６】
以下、この発明につき図面を参照しつつ詳細に説明する。なお、この実施形態及び実施例によりこの発明が限定されるものではない。また、下記実施形態及び実施例における構成要素には、当業者が容易に想定できるもの、あるいは実質的に同一のものが含まれる。
【００１７】
図１は、本発明に係る実施形態の排ガス処理システムの概要図である。
図１に示すように、本発明に係る実施形態の排ガス処理システム１０において、ボイラ１１からの排ガス１２は、脱硝装置１３で排ガス１２中の窒素酸化物（ＮＯｘ）を除去した後、まずエアヒータＡＨに導かれてボイラ１１に供給される空気を加熱する。その後排ガス１２は、除塵装置である乾式の電気集塵機１４に導入されて煤塵が除去される。次に、排ガス１２は、脱硫装置１５に導入されて硫黄酸化物（ＳＯｘ）が除去される。次いで、排ガス１２は冷却塔１６で冷却された後、ＣＯ２回収装置１７に導入されて、二酸化炭素を除去し、ＣＯ２吸収塔の塔頂部から浄化ガス１８が系外である大気に放出される。なお、電気集塵機１４で除去された煤塵は別途灰処理１４ａされる。
【００１８】
本発明では、ＣＯ２回収装置１７に排ガス１２を導入する以前において、ＣＯ２回収装置１７のＣＯ２吸収塔内で発生するミストの発生源であるミスト発生物質を除去するミスト発生物質除去装置２０を設けている。
【００１９】
本発明に係る排ガス処理システムによれば、ＣＯ２回収装置１７に導入する以前において、ミスト発生物質除去装置２０を設けたので、ＣＯ２回収装置１７のＣＯ２吸収塔に導入される際の排ガス１２中のミスト発生物質の量が大幅に低減する。この結果、ミストに同伴されて外部へ排出されるＣＯ２吸収液（以下「吸収液」ともいう）の量を大幅に低減することができる。この結果、系外へ飛散される吸収液のロスが大幅に少なくなるので、必要以上に補充することがなくなり、排ガス処理におけるランニングコストの増大を抑制することができる。
【００２０】
本発明に係るミスト発生物質除去装置２０で除去するミスト発生物質とは、ＳＯ３ミスト、硝酸ミスト、塩酸ミスト、水蒸気ミスト等であり、ＣＯ２吸収塔内でのミスト発生要因となる物質をいう。なお、ミストとなる以前のガス状態での除去を行う装置においても、本発明に係るミスト発生物質除去装置２０に含まれる。
【００２１】
ボイラ１１からの排ガス１２は、高温状態であるので、ミスト発生物質は、最初はガス状態で存在する。その後、電気集塵機や脱硫装置を経る過程で、排ガスは冷却されるので、ミスト発生物質はガス状態からミスト状態に変化する。
本発明でミスト発生物質のミストの粒径は、３．０μｍ以下をいう。
【００２２】
ＣＯ２回収装置１７のＣＯ２吸収塔内でのミスト発生及び吸収液の同伴の様子について図２、図３−１、図３−２を用いて説明する。
図２は、ミスト発生に伴う吸収液の同伴のメカニズムの概念図である。図３−１は、ＣＯ２吸収塔内での白煙軽減状態を示す写真、図３−２は、ＣＯ２吸収塔内での白煙発生状態を示す写真である。ミスト発生物質として、ＳＯ３ミストを例にして説明するが、他のミストでも同様である。ボイラ１１からの排ガス１２は、脱硝、煤塵除去及び脱硫等のガス浄化処理がなされ、冷却塔１６で排ガス１２が冷却され、ガス温度は５０℃程度となる。この温度状態では、酸露点以下であるので、ＳＯ３ミスト（例えば０．１〜１．０μｍ）となっている。
このＳＯ３ミスト５０は、ＳＯ３が核５１となり、その周囲に水蒸気５２が雲のように存在するものである。
【００２３】
ＣＯ２吸収塔内では、吸収液がノズルより噴霧されて落下し、この落下する吸収液と排ガスとを向流接触させることでＣＯ２が吸収液に吸収される。一方、排ガス１２はＣＯ２吸収塔の下方から導入され、上方に排出される。この際、ＳＯ３ミスト５０は、吸収液には吸収されず、排ガス１２のガス流と同様に上昇する。
【００２４】
ここで、ＣＯ２吸収塔内では、ノズルから吸収液を供給すると、吸収液の落下と共に、吸収液及び水分が一部蒸発し、ガス状吸収液４１Ｇ及び水蒸気４２が発生する。
また、このガス状吸収液４１Ｇ及び水蒸気４２は、ＣＯ２を吸収する際の例えば吸収液の発熱反応により吸収液の温度が上昇することで更に増加する。
【００２５】
そして、ガス状吸収液４１Ｇ及び水蒸気４２がＳＯ３ミスト５０に取り込まれ、結果として肥大化（例えば０．５〜２．０μｍ程度）した吸収液を含むＳＯ３ミスト（肥大化ミスト）５３となる。
【００２６】
このように、ＣＯ２回収装置１７に導入する以前の排ガス１２中のＳＯ３ミスト５０は、ＣＯ２吸収塔内で、ガス状吸収液４１Ｇ及び水蒸気４２を取り込み、吸収液を含むＳＯ３ミスト５３となり、排ガス１２と同伴してＣＯ２吸収塔の塔頂部から飛散する。そのため、吸収液のロスが発生することとなる。
【００２７】
このＣＯ２吸収塔内での白煙発生の様子を図３−１、図３−２に示す。
図３−１では、ＣＯ２吸収塔内に導入する排ガス１２に対してミスト発生物質除去装置２０を設けて、所定量以下にミスト発生物質の量を低減させた場合であり、ＣＯ２吸収塔内での吸収液を含むＳＯ３ミスト（肥大化ミスト）５３の飛散を大幅に低減し、白煙の発生が抑制されている状態を示す。図３−２では、ＣＯ２吸収塔内に導入する排ガス１２に対してミスト発生物質除去装置２０を設けずに、排ガス１２をそのまま導入した場合であり、ＣＯ２吸収塔内での吸収液を含むＳＯ３ミスト（肥大化ミスト）５３の飛散が生じ、白煙が発生している状態を示す。
【００２８】
すなわち、本発明において、ＣＯ２吸収塔内で発生するミストとは、吸収液を含むＳＯ３ミスト（肥大化ミスト）５３をいう。この肥大化ミストの発生の有無を確認することができるのが、白煙の発生の有無であり、この肥大化ミストをＣＯ２吸収塔内で抑制することで、白煙の発生がなくなり、ひいては吸収液の飛散防止となる。
【００２９】
また、この肥大化ミストは、図２に示すように、排ガス１２中のＳＯ３ミスト５０に対して、ＣＯ２吸収塔内で、ガス状吸収液４１Ｇ単独、ガス状水蒸気４２単独で取り込まれ、それぞれ吸収液を含むＳＯ３ミスト（肥大化ミスト）５３Ａ、水蒸気を含むＳＯ３ミスト（肥大化ミスト）５３Ｂとなる場合もある。
この際、水蒸気を含むミスト（肥大化ミスト）５３Ｂの場合には、吸収液のロスは無いものの、系外への排出する浄化ガス１８の白煙の発生があるので、やはり、ミスト発生物質の低減が必要となる。
よって、本発明によれば、ＣＯ２回収装置１７に導入する以前において、ミスト発生物質除去装置２０を設けることにより、系外にＣＯ２を除去した排ガス１２を排出する際に、ＣＯ２吸収液の同伴を大幅に低減すると共に、適正な排ガス処理を行うことができるものとなる。
【００３０】
よって、本発明では、ＣＯ２回収装置１７に排ガス１２をその導入する以前において、ＣＯ２回収装置１７のＣＯ２吸収塔内で発生するミスト（肥大化ミストである吸収液を含むＳＯ３ミスト）の発生源であるミスト発生物質を除去するミスト発生物質除去装置２０を設けることにより、ＣＯ２吸収塔からの系外へ飛散する吸収液のロスを大幅に低減することができる。
【００３１】
このミスト発生物質除去装置２０は、乾式の電気集塵機１４の前流側、乾式の電気集塵機１４と脱硫装置１５との間、前記冷却塔１６の前後のいずれか、若しくは冷却塔１６と一体に設けるようにしてもよい。
ここで、ＣＯ２回収装置１７に排ガス１２をその導入する以前において、ＳＯ３ミスト５０を３ｐｐｍ以下まで低減するのが、ＣＯ２吸収塔内での白煙防止及び吸収液の飛散防止のために好ましい。これは、ＳＯ３ミスト５０を３ｐｐｍ以下まで低減すると、飛散防止を抑制すると共に、例えばアミン系の吸収液がＳＯ３により劣化するのを防止するためでもある。
【００３２】
本発明によれば、吸収液の飛散防止と共に、吸収液の劣化が防止されるので、吸収液の再生装置（リクレーミング装置）での再生処理回数の低減を図ることができ、さらに吸収液のロスが大幅に低減されるため、吸収液の補充量の低減を図ることができる。そのため、排ガス処理システムのシステム効率を大幅に向上させることができる。
【００３３】
なお、本実施例においては、除塵装置として電気集塵機を例として説明したが、排ガス１２中の煤塵を除去するものであれば、本発明はこれに限定されるものではなく、電気集塵機以外には、例えばバグフィルタ、ベンチュリースクラバ等を例示することができる。
【００３４】
以下の実施例では、ミスト発生物質を除去するミスト発生物質除去装置の具体的態様について説明する。
【実施例１】
【００３５】
本発明による実施例に係るＣＯ２回収装置を備えた排ガス処理システムについて、図面を参照して説明する。図４は、実施例１に係る排ガス処理システムの概略図である。図５は、実施例１に係る他の排ガス処理システムの概略図である。尚、以下の実施例では、ミスト発生物質としてＳＯ３を例示して説明するが、本発明はこれに限定されるものではない。
図４に示すように、実施例１に係る排ガス処理システム１０Ａは、ボイラ（例えば石炭焚ボイラ）１１からの排ガス１２中の窒素酸化物を除去する脱硝装置１３と、脱硝装置１３の後流側に設けられ、排ガス１２中の煤塵を除去する乾式の電気集塵機１４と、電気集塵機１４の後流側に設けられ、排ガス１２中の硫黄酸化物を除去する脱硫装置１５と、脱硫装置１５の後流側に設けられ、ガス温度を下げる冷却部１６ａを有する冷却塔１６と、前記排ガス１２中のＣＯ２を吸収液に接触させて除去する吸収塔１７Ａと、吸収液からＣＯ２を放出してＣＯ２を回収すると共に、吸収液を再生する再生塔１７ＢとからなるＣＯ２回収装置１７とを具備するものである。【００３６】
本実施例では、ＳＯ３ミストをＣＯ２回収装置１７に導入する前において、ミスト発生物質を除去する対策として、溶解塩噴霧装置２３を電気集塵機１４と脱硫装置１５との間に設け、排ガス１２中に溶解塩２４を噴霧している。本実施例に係る溶解塩噴霧装置２３が、図１に示すミスト発生物質除去装置２０として機能している。【００３７】
この結果、脱硫装置１５の前流側で、Ｎａ２ＳＯ４、ＭｇＳＯ４など溶解性の溶解塩２４の水溶液を噴霧するようにしている。乾式の電気集塵機１４後流側のガス温度が１３０℃〜１５０℃程度の排ガス１２中に溶解塩溶液を噴霧することで、微細化された乾燥した溶解塩粒子となり、この溶解塩粒子にガス状態のＳＯ３が吸着・固定されることで、排ガス１２中からガス状態のＳＯ３を除去するようにしている。この結果、ＣＯ２回収装置１７へのＳＯ３ミスト５０の導入量を低減するようにしている。【００３８】
溶解塩２４としては、例えばＮａＣｌ，ＮａＯＨ，Ｎａ２ＳＯ４，Ｎａ２ＣＯ３，ＫＣｌ，ＫＯＨ，Ｋ２ＳＯ４，Ｋ２ＣＯ３，ＫＨＣＯ３，ＭｇＣｌ２，ＭｇＳＯ４，ＣａＣｌ２などが挙げられる。【００３９】
ここで、溶解塩としてＮａ２ＳＯ４を用いると溶解塩粒子（Ｎａ２ＳＯ４）とＳＯ３により下式（１）の反応が進行する。この結果、ＮａＨＳＯ４・Ｈ２Ｏ（固体）が生成する。
Ｎａ２ＳＯ４＋ＳＯ３＋３Ｈ２Ｏ→２ＮａＨＳＯ４・Ｈ２Ｏ…（１）【００４０】
Ｎａ２ＳＯ４及びＮａＨＳＯ４・Ｈ２Ｏは、ともに溶解性であるため、後流側の脱硫装置１５内で溶解する。このため、例えばアンモニアを注入する場合に比べて、乾式の電気集塵機１４のアンモニアを含む固体物処理が不要となる。本実施例では、排ガス１２中のミスト発生物質であるＳＯ３をガス状態で除去する結果、ＣＯ２回収装置１７へのＳＯ３ミスト５０の導入量の低減を図ることとなる。よって、ミストに起因する吸収塔１７Ａから排出する浄化ガス１８の白煙の発生が抑制されると共に、吸収液４１の同伴を抑制することとなる。この結果、吸収液４１のロスの無い排ガス処理システムを提供することができる。【００４１】
また、電気集塵機１４で煤塵が除去された排ガス１２は、脱硫装置１５で排ガス１２中の硫黄酸化物を除去し、除去された硫黄酸化物は石灰石（ＣａＣＯ３）１５ａと酸化用空気１５ｂを供給し、石灰・石膏法により石膏１５ｃとすると共に、脱硫排水１５ｄは別途処理される。なお、図中、符号１７ａはリボイラ、１７ｂは飽和水蒸気、１７ｃは凝縮水、１７ｄは分離ドラム、１７ｅは回収ＣＯ２、１７ｆは熱交換器を各々図示する。【００４２】
脱硫装置１５で脱硫された排ガス１２は、冷却塔１６で排ガス温度を５０℃以下まで冷却し、吸収塔１７Ａ及び再生塔１７ＢからなるＣＯ２回収装置１７に導入し、ここで、排ガス１２中のＣＯ２を例えばアミン系の吸収液４１により除去している。この際、本実施例では、排ガス１２中のミスト発生物質であるＳＯ３をガス状態で除去する結果、ＣＯ２回収装置１７へのＳＯ３ミストの導入量の低減を図ることとなる。よって、ミストに起因する吸収塔１７Ａから排出する浄化ガス１８の白煙の発生を抑制することとなる。この結果、吸収液４１のロスを大幅に低減した排ガス処理システムを提供することができる。【００４３】
ここで、本実施例では吸収液として、アミン系吸収液を例示しているが、本発明の吸収液はアミン系吸収液に限定されるものではない。吸収液としてアミン系吸収液以外には、例えばアミノ酸系吸収液、イオン性液体吸収液、炭酸カリウムとアミンとからなる熱炭酸カリ吸収液等を例示することができる。【００４４】
図５は、実施例１の変形例の排ガス処理システムの概略図である。図４に示す冷却塔１６では排ガス１２を冷却しているが、図５に示すように、排ガス処理システム１０Ｂは、冷却塔１６の下部において、仕上げ脱硫部１６ｂを設け、石灰石（ＣａＣＯ３）１５ａと酸化用空気１５ｂを供給し、石灰・石膏法により石膏１５ｃとしている。これにより、脱硫装置１５からの排ガス１２に残存している硫黄酸化物を除去するようにして、更に脱硫効率を向上させている。なお、石灰石と共に水酸化ナトリウム（ＮａＯＨ）等の強アルカリ剤を添加するようにしてもよい。
本実施例では、仕上げ脱硫部１６ｂにおいて、脱硫用吸収液の供給方法として、液柱式を用いているが、本発明はこれに限定されず、散水式、噴流式、充填式のいずれも用いることができる。【００４５】
ここで、仕上げ脱硫部１６ｂで用いる脱硫用吸収液としては、石灰石（ＣａＣＯ３）以外には、ＮａＯＨ、Ｎａ２ＣＯ３、ＮａＨＣＯ３、Ｃａ（ＯＨ）２、Ｍｇ（ＯＨ）２等の強アルカリ剤を例示することができる。強アルカリ剤を用いることで、脱硫性能の向上をさらに図ることができ、特に、硫黄酸化物の濃度が高いような排ガス１２を導入する場合には有効となり、ＣＯ２回収装置１７に導入する排ガス１２中の硫黄酸化物の濃度を極低濃度とすることができる。石灰・石膏法に較べて、脱硫性能も高くなり、導入する排ガス１２中の硫黄酸化物の濃度が高いような場合であっても、良好な脱硫性能を発揮するので好ましい。【００４６】
以上、実施例と共に説明したように、本発明によれば、ミスト発生物質除去装置２０として溶解塩噴霧装置２３を設けているので、外部にＣＯ２を除去した排ガス１２を排出する際に、吸収液４１の同伴がない排ガス処理システムを提供することができる。
【符号の説明】
【００４７】
１０、１０Ａ〜１０Ｂ  排ガス処理システム
１１  ボイラ
１２  排ガス
１３  脱硝装置
１４  電気集塵機
１５  脱硫装置
１６  冷却塔
１６ａ  冷却部
１６ｂ  仕上げ脱硫部
１７  ＣＯ２回収装置
１７Ａ  吸収塔
１７Ｂ  再生塔
１８  浄化ガス
２０  ミスト発生物質除去装置
２３  溶解塩噴霧装置
【図１】
2011152549.tif 000003
【図２】
2011152549.tif 000004
【図４】
2011152549.tif 000005
【図５】
2011152549.tif 000006
【図３−１】
2011152549.tif 000007
【図３−２】
2011152549.tif 000008
【国際調査報告】
2011152549.tif 000009
2011152549.tif 000010
2011152549.tif 000011
2011152549.tif 000012